(57)【要約】【課題】本発明は、他の商品に不正に貼り替えされることを防止するとともに、商品に貼付されたシールをきれいに剥がす事が可能な貼り替え防止シールを提供することを目的とする。【解決手段】表面に所定の情報が印字されたシール基材の外周にわたって複数形成された破断線３と、シール基材２の裏面の中央近傍位置に所定の幅で形成された非粘着部と、この非粘着部を囲むように形成した粘着部を有することを特徴とする。【選択図】    図１
2004205954.tif 000002
【特許請求の範囲】
【請求項１】
破断部が形成されたシール基材と、
該シール基材の一面に粘着部および該粘着部で囲まれた非粘着部と、
を有することを特徴とする貼り替え防止シール。
【請求項２】
前記粘着部はシール基材の一面に形成され、該粘着部に囲まれるように仮着した剥離片を非粘着部としたことを特徴とする請求項１記載の貼り替え防止シール。
【請求項３】
前記破断部は、粘着部から非粘着部に跨って複数形成した破断線であることを特徴とする請求項１または２記載の貼り替え防止シール。
【発明の詳細な説明】
【０００１】
【発明の属する技術分野】
本発明は、貼り替え防止シールにかかるもので、特に一旦商品に貼付されると剥がして他の商品に貼り替えることを不可能とした貼り替え防止シールに関するものである。
【０００２】
【従来の技術】
一般に商店などにおいて販売される商品には価格が表示されており、この価格を表示する方法として価格情報を印刷した貼り替え防止シールを商品に貼り付ける方法が知られている。この貼り替え防止シールは、商品の価格を表示する事と、安い価格情報が印刷されたシールを第三者により剥がされて他の商品に貼り替えられることで、商品を通常価格よりも安い価格で購入しようとする不正行為を防止するためのものである。このような貼り替え防止シールは、表面に「特価￥３０００」などの価格情報が印刷され、裏面に形成された粘着剤と、貼り替え防止シールの外周に形成された複数の切込み線からなる。また、貼り替え防止シールに印刷する情報は「代金支払い済み」などの情報や「３０％ＯＦＦ」などの割引情報などがある。
すなわち、このような構成の貼り替え防止シールを一旦商品に貼り付け、剥がそうとすると複数の切込み線によって貼り替え防止シールが破れるため、この貼り替え防止シールを元通りの状態で他の商品に貼り替えることは不可能であり、これをもって不正貼り替えを防止している。また、貼り替え防止シールのあらゆる位置に複数の切込み線を設け、どの方向から剥がそうとしても破れるように形成されている。（例えば、特許文献１参照。）
【０００３】
【特許文献１】
特開２００１−３０５９６４号
【０００４】
【発明が解決しようとする課題】
しかしながら、商品購入後に商品または商品の梱包箱に貼付された貼り替え防止シールを剥がそうとすると切込み線から破れ、この破れたシール片が残存してしまい商品の外観を損ねるという問題があった。また、シール片にも複数の切込み線が形成されているので、シール片を無理に剥がそうとしても更に細かく破れるだけで、商品からきれいに剥がすのは非常に困難であった。
本発明は、以上の諸問題にかんがみなされたもので、他の商品への不正貼り替えを防止すると共に、商品からきれいに剥がすことを可能とした貼り替え防止シールを提供することを課題とする。
【０００５】
【課題を解決するための手段】
本発明に係る貼り替え防止シールは、破断部が形成されたシール基材と、該シール基材の一面に粘着部および該粘着部で囲まれた非粘着部と、を有することを特徴とする。
また、前記粘着部はシール基材の一面に形成され、該粘着部に囲まれるように仮着した剥離片を非粘着部として形成することもできる。
また、前記破断部は、粘着部から非粘着部に跨って複数形成した破断線とすることもできる。
【０００６】
【発明の実施の形態】
以下、図面を参照しながら本発明に係る貼り替え防止シールの第一の実施の形態について説明する。図１は、本発明における貼り替え防止シール１の第一の実施の形態を示す平面図であり、図２は、図１における貼り替え防止シール１のII―II線断面図である。
【０００７】
図１および図２に示すように貼り替え防止シール１は、シール基材２と、破断線３と、非粘着部４と、粘着部５を有している。
【０００８】
シール基材２の表面には、「お買い上げありがとうございます。」との支払済み情報が印字されている。
【０００９】
破断線３は、シール基材２の外周端にカットが形成されており、被貼付物に貼付された貼り替え防止シール１をどの方向から剥がそうとしてもこの破断線３から破断するようになっている。
【００１０】
非粘着部４は、シール基材２裏面の中央近傍に所定の幅で形成され、この非粘着部４  を囲むように粘着部５が形成されている。
【００１１】
次に、この貼り替え防止シール１の使用方法について図３及び図４に基づいて説明する。図３は、貼り替え防止シール１を被貼付物１０に貼付した状態を示す図であり、図４は、貼り替え防止シール１を剥がす工程を示す説明図である。
【００１２】
図３に示すように貼り替え防止シール１は、粘着部５によって購入された商品としての被貼付物１０の任意の位置に貼り付けられる。このように貼付された貼り替え防止シール１を図４（ａ）に示す左方向から剥がそうとすると、破断線３をきっかけに貼り替え防止シール１が破断される。この破断線３は、前述したようにシール基材２の外周にわたって複数形成されているので、図４（ａ）に示す上下左右および斜め方向のどの方向から剥がそうとしても貼り替え防止シール１が破断される。また、破断線３は外周の粘着部５側からシール基材２の中央に形成された非粘着部４に向かって形成されているので、この破断線３に沿って粘着部５から非粘着部４に向かって破断される。
【００１３】
図４（ｂ）は、破断後の貼り替え防止シール１であるシール片６を示す図であり、この様に貼り替え防止シール１が一部破断されると被貼付物１０上には残されたシール片６が残存する。
【００１４】
また、図４（ｃ）は、シール片６をさらに破断しようとする状態を示す図であり、シール片６の非粘着部４を保持して、矢印で示す左斜め上方向に向かって引き上げることによりシール片６の一部をさらに破断する。シール片６の一部を破断すると図４（ｄ）に示すように、更に小さなシール片７の形状となり、このシール片７の非粘着部４を保持して、破断線３に向かって破断し、以後同様に一部ずつ数回に分けて破断しながら被貼付物１０から剥がしていく。
【００１５】
以上のように、貼り替え防止シール外周の全周にわたって破断線を形成しており、上下左右および斜め方向のどの方向から剥がそうとしても貼り替え防止シールが破断されるので、第三者によって他の商品に不正の意図で貼り替えられることを防止できる。
【００１６】
また、破断線３が貼り替え防止シール１の粘着部５から非粘着部４に向かって形成されているので、どの方向から破断しても被貼付物１０に残存するシール片６、７は非粘着部４を有することとなり、この非粘着部４を保持して捲り上げ、シール片６、７を一部ずつ破断しながら剥がすことによって最終的にきれいに剥がす事ができ、被貼付物１０の外観を損ねることがない。
【００１７】
また、本発明において破断線を粘着部と非粘着部に跨るように形成しておくこともできる。
たとえば、図５は、本発明の第二の実施の形態による貼り替え防止シール２０の平面図であり、図６は被貼付物に貼付された貼り替え防止シール２０を剥がす工程を示す説明図である。また、第一の実施の形態と同様の構成のものは同一の符号を付し、その説明を省略する。
【００１８】
図５に示すように貼り替え防止２０は、シール基材２の表面に「お買い上げありがとうございます。」との支払済み情報が印字されており、破断線２１と、裏面に非粘着部４と、粘着部５が形成されている。
【００１９】
破断線２１は、粘着部５と非粘着部４に跨るように複数形成され、被貼付物に貼付された貼り替え防止シール１を剥がそうとすると、この破断線２１に沿って破断するようになっている。
【００２０】
この貼り替え防止シール２０の使用方法について図６に基づいて説明する。同図（ａ）に示すように粘着部５によって被貼付物１０に貼付された貼り替え防止シール２０をＡ方向またはＢ方向（図６における左右方向）から向かって剥がそうとすると、それぞれ破断線２１に沿って破断される。破断されると図６（ｂ）に示すようシール片２２、２３が被貼付物１０上に残存し、図６（ｃ）に示すようにシール片２３の非粘着部４を保持して、粘着部５側に（図６における下方向）に向かって剥がす。また、同様にシール片２２の非粘着部４を保持して、粘着部５方向に（図６における上方向）向かって剥がす。
【００２１】
また、貼り替え防止シール２０を図７に示すように先に上下方向から破断しても良い。同図は貼り替え防止シール２０を上下方向から先に破断した状態を示す図であり、先にシール片２２、２３を破断し、残存するシール片２４、２５の非粘着部４を保持してそれぞれ粘着部５方向に（図７における左右方向）向かって剥がすこともできる。
【００２２】
以上のように、本発明の第二の実施の形態において、貼り替え防止シール２０を一度被貼付物に貼付すると、上下左右のどの方向から剥がそうとしても破断線２１から破れるので、第三者によって他の商品に不正の意図で貼り替えられることを防止できる。
【００２３】
また、破断線２１は、粘着部５と非粘着部４に跨るように複数形成されており、どの方向から破断しても破断線２１に沿って破断され、被貼付物１０に残存するシール片２２、２３、２４、２５は、それぞれ粘着部５と非粘着部４を有するので、この非粘着部４を保持して摘まみ上げることによってシール片２２、２３、２４、２５を容易に剥がす事ができ、被貼付物１０の外観を損ねることがない。
【００２４】
また、本発明において破断線の代わりにシール基材の外周を凹凸形状に形成しておくこともできる。
たとえば、図８は、本発明の第三の実施の形態による貼り替え防止シール３０の平面図である。また、第一の実施の形態または第二の実施の形態と同様の構成のものは同一の符号を付し、その説明を省略する。
【００２５】
図８に示すように貼り替え防止シール３０は、シール基材２の表面に「お買い上げありがとうございます。」との支払済み情報が印字されており、裏面に非粘着部４と、粘着部５が形成され、更にシール基材２の外周に凹凸部３１が形成されている。凹凸部３１は、シール基材２外周の全周にわたって形成されており、被貼付物１０に貼付された貼り替え防止シール３０をどの方向から剥がそうとしてもこの凹凸部３１から破断するようになっている。
【００２６】
以上のように、本発明の第三の実施の形態において、貼り替え防止シール外周の全周にわたって凹凸部を形成しているので、上下左右および斜め方向のどの方向から剥がそうとしても貼り替え防止シールが破断され、他の商品に不正の意図で貼り替えられることを防止できる。
【００２７】
また、貼り替え防止シールをどの方向から破断しても被貼付物１０に残存するシール片は非粘着部を有することとなり、この非粘着部を保持して捲り上げ、シール片を破断しながら一部ずつ剥がすことによって最終的にきれいに剥がす事ができる。
【００２８】
また、本発明においてシール基材の裏面全面に粘着部を形成し、部分的に剥離紙を仮着することによって非粘着部を形成しておくこともできる。
たとえば、図９は、本発明の第四の実施の形態による貼り替え防止シール４０の平面図であり、図１０は、図９における貼り替え防止シール４０のＸ―Ｘ線断面図である。
第一の実施の形態ないし第三の実施の形態と同様の構成のものは同一の符号を付し、その説明を省略する。
【００２９】
貼り替え防止シール４０は、シール基材２の表面に「お買い上げありがとうございます。」との支払済み情報等が印字されており（図示せず）、図９及び図１０に示すように破断線２１と、裏面に粘着部４１が積層され、粘着部４１の下層に剥離紙４２が積層されている。
【００３０】
粘着部４１は、基材の裏面全面に設けられており、この粘着部４１によって剥離紙４２に仮着されている。
【００３１】
剥離紙４２は、粘着部４１と接触する面に剥離剤が設けられており、スリット４３により形成された剥離片４４を有している。
【００３２】
スリット４３は、剥離紙４２の中央近傍位置に所定領域を囲むようにカットしたものである。
【００３３】
剥離片４４は、シール基材２よりも小さく形成されており粘着部４１の中央部近傍に仮着されている。
【００３４】
図９に示すように、剥離紙４２を剥がすとスリット４３に囲まれた剥離片４４が粘着部４１上に残存し、剥離片４４を囲むように粘着部４１が露出する。すなわち、剥離片４４が粘着部４１を部分的に覆われることで非粘着部として形成されている。
【００３５】
剥離片４４を囲むように露出した粘着部４１によって貼り替え防止シール４０が被貼付物１０に貼付され、残存する剥離片４４部分は被貼付物１０に貼付されず、この貼り替え防止シール４０を剥がそうとすると破断線２１より破断する。貼り替え防止シール４０は、剥離紙４２のスリット４３を跨ぐように形成された破断線２１に沿って貼り替え防止シールの４０外側から中央側に向かい破断される。図１１に示すように左右方向から破断すると、剥離片４４と被貼付物１０（図示せず）に跨って貼付されたシール片２２、２３が残存し、剥離片４４に仮着されたシール片２３を矢印方向（下方向）に剥がし、摘まみ上げて被貼付物１０から剥がし、シール片２２も同様に剥がす。
【００３６】
本発明において、非粘着部は粘着剤未塗布または剥離片の仮着により形成したが、シール基材の裏面全面に形成した粘着剤をＵＶ硬化型のＯＰニスなどで覆う、いわゆる糊殺し加工された領域であってもよく、粘着性を有しない領域であれば良い。
【００３７】
【発明の効果】
以上のように、本発明の貼り替え防止シールは、破断線と、シール基材の一面に粘着部と粘着部で囲まれた非粘着部を形成したので、貼り替え防止シールを一度被貼付物に貼付すると、上下左右のどの方向から剥がそうとしても破断線から破れるので、第三者によって他の商品に不正の意図で貼り替えられることを防止できる。
また、破断後の被貼付物に残存するシール片の非粘着部を捲り上げる事で容易にシール片を剥がす事ができ、被貼付物の外観を損ねることがない。
また、破断線を粘着部から非粘着部に跨って複数形成することで、破断線に沿って破断し、破断後のシール片は確実に非粘着部を有することとなるので、非粘着部を摘み上げることにより非粘着物に残存するシール片を容易に剥がすことができる。
また、粘着部をシール基材の一面に形成し、粘着部に囲まれるように仮着した剥離片
を非粘着部を有する構成とすることにより、被貼付物に貼付された貼り替え防止シールの剥離片に仮着されたシール片を剥がし、摘まみ上げて被貼付物からきれいに剥がす事ができる。
【図面の簡単な説明】
【図１】本発明の第一の実施の形態を示す貼り替え防止シール１の表面平面図である。
【図２】同、図１に示す貼り替え防止シール１のII−II線に沿う断面図である。
【図３】同、貼り替え防止シール１を被貼付物１０に貼り付した状態を示す図である
【図４】同、貼り替え防止シール１を剥がす工程を示す説明図である。
【図５】本発明の第二の実施の形態を示す貼り替え防止シール２０の表面平面図である。
【図６】同、貼り替え防止シール２０を剥がす工程を示す説明図である。
【図７】同、貼り替え防止シール２０を剥がす、他の工程を示す説明図である。
【図８】本発明の第三の実施の形態を示す貼り替え防止シール３０の表面平面図である。
【図９】本発明の第四の実施の形態を示す貼り替え防止シール４０の表面平面図である。
【図１０】同、貼り替え防止シール４０のＸ−Ｘ線に沿う断面図である。
【図１１】同、貼り替え防止シール４０を剥がす工程を示す説明図である。
【符号の説明】
１  貼り替え防止シール（第一の実施の形態）
２  シール基材
３  破断線（破断部）
４  非粘着部
５  粘着部
６、７  シール片
１０  被貼付物
２０  貼り替え防止シール（第二の実施の形態）
２１  破断線（破断部）
２２、２３、２４、２５  シール片
３０  貼り替え防止シール（第三の実施の形態）
３１  凹凸部（破断部）
４０  貼り替え防止シール（第四の実施の形態）
４１  粘着部
４２  剥離紙
４３  スリット
４４  剥離片
【図１】
2004205954.tif 000003
【図２】
2004205954.tif 000004
【図３】
2004205954.tif 000005
【図４】
2004205954.tif 000006
【図５】
2004205954.tif 000007
【図６】
2004205954.tif 000008
【図７】
2004205954.tif 000009
【図８】
2004205954.tif 000010
【図９】
2004205954.tif 000011
【図１０】
2004205954.tif 000012
【図１１】
2004205954.tif 000013